(57)【特許請求の範囲】
【請求項１】
手術用器具であって、
エンドエフェクタと、
シャフトと、
前記エンドエフェクタと前記シャフトとの間に結合され、前記シャフトに対して前記エンドエフェクタを関節運動させるための関節運動可能なジョイントアセンブリであって、
前記自動関節運動可能なジョイントアセンブリの関節運動を検知するための少なくとも１つの関節運動センサー、及び、
前記シャフトに対して前記エンドエフェクタを自動的に関節運動させるための少なくとも１つのモーター、
を含む、自動関節運動可能なジョイントアセンブリと、
前記少なくとも１つの関節運動センサーと通信する制御装置であって、前記少なくとも１つの関節運動センサーからの関節運動データを保存するための少なくとも１つの記憶装置を含み、前記関節運動可能なジョイントアセンブリの前記少なくとも１つのモーターと通信する、制御装置と、
を含む、手術用器具であって、
前記制御装置が、前記少なくとも１つの記憶装置に保存された前記関節運動データに基づいて関節運動の以前の状態まで前記エンドエフェクタを関節運動させることを前記モーターが引き起こすように、前記関節運動可能なジョイントアセンブリ内の前記少なくとも１つのモーターを制御するためのものである、手術用器具。
【請求項２】
前記少なくとも１つのモーターが電気モーターを含む、請求項１に記載の手術用器具。
【請求項３】
前記少なくとも１つのモーターが油圧モーターを含む、請求項１に記載の手術用器具。
【請求項４】
前記シャフトに接続されたハンドルを更に含み、前記制御装置が前記ハンドル内にある、請求項１に記載の手術用器具。
【請求項５】
前記エンドエフェクタが、
第１のジョー部材、及び、
前記第１のジョー部材に旋回可能に接続されている、第２のジョー部材、
を含む、請求項１に記載の手術用器具。
【請求項６】
前記制御装置が前記少なくとも１つの記憶装置と通信するプロセッサを含む、請求項５に記載の手術用器具。
【請求項７】
前記制御装置と通信する、少なくとも１つのユーザー入力装置を更に含み、前記少なくとも１つのユーザー入力装置は、最初に作動されるときに、前記制御装置に前記関節運動可能なジョイントアセンブリの前記モーターを制御させて、前記制御装置の前記少なくとも１つの記憶装置に保存される関節運動データに基づいた関節運動状態に前記関節運動可能なジョイントアセンブリを関節運動させる、請求項６に記載の手術用器具。
【請求項８】
前記少なくとも１つのユーザー入力装置が前記ハンドル上に配置される、請求項７に記載の手術用器具。
【請求項９】
前記ユーザー入力装置が２回目に作動されるときに、前記関節運動可能なジョイントアセンブリの前記モーターが前記関節運動可能なジョイントアセンブリを関節運動のない状態に関節運動させることを前記制御装置が引き起こす、請求項７に記載の手術用器具。
【発明の詳細な説明】
【背景技術】
【０００１】
従来技術において、手術用ステープラーは、同時に組織の縦方向の切断及び切断に対向する側部に一筋のステープルを取り付けるために用いられている。かかる器具は、普通は協働する１対のジョー部材を有するエンドエフェクタ（end effector）を含み、この器具が内視鏡又は腹腔鏡での適用を意図される場合、このエンドエフェクタはカニューレ通路を通過することができる。ジョー部材の１つは、横方向に間隔を置いて配置された少なくとも２列のステープルの列を有するステープル・カートリッジを、それぞれのメス溝（knife channel）の側面に１つずつ受容する。もう一方のジョー部材は、カートリッジ内のステープルの列と整列したステープル成形ポケットを有するアンビルを画成する。この器具は、往復運動する複数のくさび型部を含み、この複数のくさび型部は、遠位に駆動されるとステープル・カートリッジの開口部を通過し、ステープルを支持するドライバに係合しアンビルに向けたステープルの発射を達成する。クランプされた組織を切断し同時に固定するために（例えば、ステープルで）、同時に切断器具（又はメス）はジョー部材に沿って遠位方向に引き付けられる。
【０００２】
内視鏡的適用に適した外科用ステープラーの例は、「Ｓｕｒｇｉｃａｌ  ｓｔａｐｌｉｎｇ  ｉｎｓｔｒｕｍｅｎｔ  ｈａｖｉｎｇ  ｓｅｐａｒａｔｅ  ｄｉｓｔｉｎｃｔ  ｃｌｏｓｉｎｇ  ａｎｄ  ｆｉｒｉｎｇ  ｓｙｓｔｅｍｓ」の名称の米国特許第７，０００，８１８  Ｂ２号に記載されており、その全体が引用により本願に組み込まれる。使用時に、臨床医は発射に先立って組織の位置決めを行うためにステープラーのジョー部材を組織の上で閉じることができる臨床医がジョー部材が適正に組織を把持していることを決定すると、次に手術用ステープラーを発射することができ、これにより組織の切断及びステープル留めが行われる。同時に行われる切断及びステープル留め作業は、それぞれ切断のみ及びステープル留めのみを行う異なる手術器具により、かかる作業を順次行うことで引き起こされ得る合併症を回避する。
【０００３】
従来技術は米国特許出願公開第２００７／０１７５９５９号に記載されるような関節運動可能なエンドエフェクタ（articulatable end effector）を有するエンドカッター（endocutter）も含み、この出願の全体は引用により本願に組み込まれる。かかる器具は、ユーザー（例えば、執刀外科医）が関節運動旋回軸の周りでエンドエフェクタを旋回させることを可能にする、関節運動制御機器を含む。
【発明の概要】
【発明が解決しようとする課題】
【０００４】
通常、かかるエンドカッターを用いる手術では、患者の一般的な通常の部位における数回の切断／固定ストロークをオペレーターが行うことを必要とする。したがって、臨床医は器具によるそれぞれの切断／固定ストローク後にカニューレを通じて器具を引き抜かなければならず、またエンドエフェクタ内のステープル・カートリッジが使い切られた場合には交換しなければならない。すると、臨床医は患者内のカニューレを通して器具を再挿入し、エンドエフェクタを以前の切断／固定ストロークと同じ一般的部位まで再度関節運動させることを含むエンドエフェクタの位置決めを再度行わなければならない。
【課題を解決するための手段】
【０００５】
１つの一般的態様では、本発明は自動的に関節運動可能なエンドエフェクタを有する手術用の切断及び固定器具などの手術用器具を対象とする。さまざまな実施形態によると、この手術用器具はエンドエフェクタ、シャフト、並びにエンドエフェクタ及びシャフトの間に接続する関節運動可能なジョイントアセンブリを含み得る。このジョイントアセンブリは、シャフトに対してエンドエフェクタを関節運動させるための少なくとも１つのモーターを含む。このジョイントアセンブリは、エンドエフェクタのシャフトに対する関節運動を検知するための少なくとも１つの関節運動センサーも含む。
【０００６】
この器具は関節運動センサー及びモーターと通信する制御装置を更に含む。この制御装置は少なくとも１つの関節運動センサーからの関節運動データを保持するための少なくとも１つの記憶装置を含む。加えて、作動されたときに制御装置の記憶装置に保存される関節運動センサーからの関節運動データに基づき、エンドエフェクタを所望の位置（又は関節運動状態）まで自動的に関節運動させるために、この制御装置は制御信号をジョイントアセンブリのモーターに送る。例えば、この制御装置は事前の関節運動状態（前回に器具が駆動されたときの関節運動状態など）又は特定の他の関節運動状態を取るためにエンドエフェクタが関節運動することを引き起こせる。この制御装置はエンドエフェクタが自動的に非関節運動状態に戻るための関節運動も引き起こせる。このように臨床医は（ｉ）エンドエフェクタをカニューレを通じて患者の体内に挿入し、（ｉｉ）エンドエフェクタを所望の位置まで自動的に関節運動により移動させ、（ｉｉｉ）器具を駆動させ、（ｉｖ）エンドエフェクタを再関節運動させて元の状態に復帰させ、（ｖ）カニューレを通じて患者から器具を引き抜き、及び（ｖｉ）以上の過程を繰り返すためにカートリッジを交換することができる。このことは、エンドエフェクタの再位置決めにおけるより大きな正確性と反復性をもたらす傾向があるはずであり、このことは器具の反復駆動のためにエンドエフェクタが患者の同一の一般的位置に位置決めされる必要がある手術において重要である。
【０００７】
さまざまな実施によっては、この手術用器具はエンドカッターなどの手術用の切断及び固定用の器具であってよい。そのようなものとして、このエンドエフェクタは旋回可能に結合される２つの対向するジョー部材を含み得る。ジョー部材の１つは２つのジョー部材の間にクランプされる組織の切断のための切断器具を備えることができる。このジョー部材は、器具が駆動されるときに、ステープルが付勢されクランプされた組織を貫通しアンビルとして機能する他のジョー部材により曲げられるように、多数のステープルを持つ交換式のステープル・カートリッジも更に含むことができる。
【０００８】
別の一般的な態様では、本発明は外科手術を実行するための方法を対象とする。一実施形態ではこの過程は、（ａ）第１の関節運動状態にある関節運動可能なエンドエフェクタをカニューレを通じて患者の体内に挿入すること、（ｂ）手順（ａ）の後、第１の関節運動状態とは異なる第２の関節運動状態を取るための自動的な関節運動をエンドエフェクタに引き起こすために手術用器具上の挿入された器具を作動すること、（ｃ）手順（ｂ）の後、エンドエフェクタによりクランプされた組織の切断と固定を行うために手術用器具を駆動すること、（ｄ）手順（ｃ）の後、エンドエフェクタが第１の関節運動状態に自動的に関節運動することが引き起こされるように挿入されている器具を作動すること、及び（ｅ）手順（ｄ）の後、カニューレを通じてエンドエフェクタを患者の体内から引き抜くこととを含む。
【０００９】
本発明のこれら及び他の利益は以下の記載から明白となるであろう。
【図面の簡単な説明】
【００１０】
本発明のさまざまな実施形態が、例として以下の図とともに本明細書において記載される。
【図１】本発明のさまざまな実施形態に従う関節運動可能なエンドエフェクタを有する手術用器具を図示する図。
【図２】本発明のさまざまな実施形態に従う関節運動可能なエンドエフェクタを有する手術用器具を図示する図。
【図３】本発明のさまざまな実施形態に従う図１及び２の手術用器具のエンドエフェクタの分解図。
【図４】本発明のさまざまな実施形態に従う手術用器具の制御装置及びセンサーのブロック図。
【図５】本発明のさまざまな実施形態に従う手術用器具ジョイント関節運動アセンブリの略図。
【発明を実施するための形態】
【００１１】
図１及び２は、本発明のさまざまな実施形態に従う自動的に関節運動が可能なエンドエフェクタを有する手術用切断及び固定器具１０を図示している。この図示された実施形態は内視鏡用手術用器具１０であり、本明細書に記載される器具１０の実施形態は一般的に内視鏡手術用の切断及び固定器具である。しかしながら、本発明の他の実施形態によれば、この器具１０は自動的に関節運動が可能なエンドエフェクタを有する腹腔鏡手術用器具などの非内視鏡手術用の切断器具であり得ることに注意されたい。
【００１２】
図１及び２に示されるこの手術用器具１０は、ハンドル６、シャフト８及びシャフト８の関節運動旋回軸１４の位置で枢動可能に接続される関節運動するエンドエフェクタ１２とを含む。関節運動制御機器１６は、エンドエフェクタ１２の関節運動旋回軸１４の周囲での回転を達成するために、ハンドル６に隣接して備えられることができる。図示された実施形態では、エンドエフェクタ１２は組織のクランピング、切断、及び固定のためのエンドカッターとして機能するように構成されているが、他の実施形態では捕捉器具、カッター、ステープラー、クリップ・アプライヤー、アクセス用器具、薬物／遺伝子治療用器具、超音波、ラジオ波、又はレーザー器具などの他の種類の手術用のエンドエフェクタなどの、異なる種類のエンドエフェクタが使用され得る。
【００１３】
器具１０のハンドル６は、エンドエフェクタ１２を関節運動させるための閉鎖トリガー１８及び発射トリガー２０を含むことができる。異なる手術任務を指向するエンドエフェクタを有する器具が、エンドエフェクタ１２を操作するための、異なる数又は種類のトリガー若しくは他の適切な制御機器を持ち得ることが理解されるであろう。このエンドエフェクタ１２は好適には細長いシャフト８によりハンドル６から分離されて示されている。一実施形態では、臨床医又は器具１０のオペレーターは関節運動制御機器１６を利用することによりシャフト８に対してエンドエフェクタ１２を関節運動させることができる。適切な関節運動制御機器の１種類は、「Ｓｕｒｇｉｃａｌ  Ｉｎｓｔｒｕｍｅｎｔ  Ｈａｖｉｎｇ  Ａｎ  Ａｒｔｉｃｕｌａｔｉｎｇ  Ｅｎｄ  Ｅｆｆｅｃｔｏｒ」の名称のＧｅｏｆｆｒｅｙ  Ｃ．Ｈｕｅｉｌらによる米国特許出願公開第２００７／０１５８３８５  Ａ１号に記載されており、その全体が引用により本願に組み込まれる。
【００１４】
この実施例においては、このエンドエフェクタ１２は、他のものとともにステープル溝２２及びアンビル２４などの枢動可能に平行移動可能なクランピング部材を含み、これらはエンドエフェクタ１２によりクランプされた組織の効果的なステープリングと切断を確保するために必要な間隔で保持されている。ハンドル６は、アンビル２４がエンドエフェクタ１２のステープル溝２２に対してクランピング又は閉鎖を引き起こし、それによってアンビル２４と溝２２との間に位置決めされた組織をクランプするため、臨床医がそれに向かって閉鎖トリガー１８を枢動可能に引き付けるピストル・グリップ２６を含む。図示された実施形態では、発射トリガー２０は閉鎖トリガー１８よりも外側に配置されている。かかる実施形態によると、一旦閉鎖トリガー１８が閉鎖位置に係止されると、片手で器具を操作しているオペレーターが触れることができるように、発射トリガー２０はピストル・グリップ２６に向かってわずかに回転することができる。次いでオペレーターは、エンドエフェクタ１２によりクランプされた組織のステープリング及び切断を引き起こすために、発射トリガー２０をピストル・グリップ２６に向けて枢動可能に引くことができる。他の実施形態では、アンビル２４に加えて、例えば対向するジョーなどの、異なった種類のクランピング部材を用い得る。
【００１５】
用語「近位（proximal）」及び「遠位（distal）」は、器具１０のハンドル６を握る臨床医に関して本明細書で用いられることが理解されるであろう。エンドエフェクタ１２は、より近位のハンドル部分６に対して遠位である。便宜上、また明確にするために、「垂直の（vertical）」及び「水平の（horizontal）」などの空間的用語は、図面に関して本明細書で用いられることが更に理解されるであろう。しかしながら、手術器具は、多くの配向及び配置において使用され、これらの用語は、制限的及び絶対的であることが意図されない。
【００１６】
使用時には、閉鎖トリガー１８が最初に関節運動され得る。臨床医がエンドエフェクタ１２の位置決めに満足すると、臨床医は閉鎖トリガー１８をピストル・グリップ２６の近位の完全閉鎖された係止位置に引き戻すことができる。次いで、発射トリガー２０が作動され得る。臨床医が圧力を開放したときに発射トリガー２０は開放位置（図１及び２に示される）に戻る。ハンドル６の開放ボタンは押圧された場合に係止された閉鎖トリガー１８を開放できる。
【００１７】
図１〜２に示されるように、ハンドル６は１つ以上の外部ユーザー入力選択器具９０、９２を含むことができ、これらは器具１０のオペレーターがそれらによりエンドエフェクタ１２を以前の関節運動状態及び最初の／標準状態（例えば、関節運動なし）まで自動的に関節運動させることを可能にする、例えばプッシュボタンスイッチ、トグルスイッチ、ダイアル、薄膜スイッチ、マイクロフォン、タッチスクリーン、トラックボール、又は他の任意の適切な種類のスイッチ若しくはユーザーにより入力される器具であり得る。この特性の詳細は以下で提供される。
【００１８】
図３はさまざまな実施形態に従うエンドエフェクタ１２の分解図である。図示された実施形態に示されるように、エンドエフェクタ１２は上述の溝２２及びアンビル２４に加えて、切断用器具３２、スレッド（sled）３３、溝２２に着脱自在に位置するステープル・カートリッジ３４、及び螺旋形ねじシャフト３６を含み得る。切断用器具３２は、例えばメスであってよい。アンビル２４は枢着部２５において旋回可能に溝２２の近位端に接続され得る。アンビル２４は更にその近位端において、アンビル２４を開閉するために機械的閉鎖システムの構成要素に挿入されるタブ２７を含み得る。閉鎖トリガー１８が作動されるとき、即ち器具１０のユーザーにより引かれるとき、アンビル２４は枢着部２５の周囲をクランプ又は閉鎖位置に向かって旋回することができる。エンドエフェクタ１２によるクランピングが満足すべきものである場合、オペレーターはメス３２とスレッド３３の縦方向の溝２２に沿った移動を引き起こすために発射トリガー２０を作動でき、これによりエンドエフェクタ１２内にクランプされた組織が切断される。溝２２に沿ったスレッド３３の運動はステープル・カートリッジ３４のステープルの切断された組織を貫通して閉鎖されたアンビル２４に向かう駆動を引き起こし、これによりステープルが曲げられて切断された組織が固定される。さまざまな実施形態においてスレッド３３はカートリッジ３４に内蔵された構成要素であることができる。引用によりその全体が本願に組み込まれる、「Ｓｕｒｇｉｃａｌ  ｓｔａｐｌｉｎｇ  ｉｎｓｔｒｕｍｅｎｔ  ｉｎｃｏｒｐｏｒａｔｉｎｇ  ａｎ  Ｅ−ｂｅａｍ  ｆｉｒｉｎｇ  ｍｅｃｈａｎｉｓｍ」という名称の米国特許第６，９７８，９２１号は、かかる２ストロークの切断及び固定器具についてより詳細に記載している。メス３２が切断操作後に後退するときにスレッド３３が後退しないためにスレッド３３はカートリッジ３４の一部分であり得る。
【００１９】
本明細書に記載される器具１０の実施形態は切断された組織を固定するエンドエフェクタ１２を使用しているが、他の実施形態では切断された組織の異なる固定又は密閉の技術が用いられ得ることに注意されたい。例えば、切断された組織の固定にラジオ波のエネルギー又は接着剤を用いるエンドエフェクタも用いることができる。「ＥＬＥＣＴＲＯＳＵＲＧＩＣＡＬ  ＨＥＭＯＳＴＡＴＩＣ  ＤＥＶＩＣＥ」という名称のＹａｔｅｓらに付与された米国特許第５，７０９，６８０号、及び「ＥＬＥＣＴＲＯＳＵＲＧＩＣＡＬ  ＨＥＭＯＳＴＡＴＩＣ  ＤＥＶＩＣＥ  ＷＩＴＨ  ＲＥＣＥＳＳＥＤ  ＡＮＤ／ＯＲ  ＯＦＦＳＥＴ  ＥＬＥＣＴＲＯＤＥＳ」という名称のＹａｔｅｓらに付与された米国特許第５，６８８，２７０号は、切断された組織の密閉にラジオ波を用いる内視鏡的切断器具を記載しているが、これらの全体は引用により本願に組み込まれる。「Ｓｕｒｇｉｃａｌ  ｓｔａｐｌｉｎｇ  ｉｎｓｔｒｕｍｅｎｔｓ  ｓｔｒｕｃｔｕｒｅｄ  ｆｏｒ  ｄｅｌｉｖｅｒｙ  ｏｆ  ｍｅｄｉｃａｌ  ａｇｅｎｔｓ」という名称のＪｅｒｏｍｅ  Ｒ．Ｍｏｒｇａｎらによる米国特許出願公開第２００７／０１０２４５３号、及び「Ｓｕｒｇｉｃａｌ  ｓｔａｐｌｉｎｇ  ｉｎｓｔｒｕｍｅｎｔｓ  ｓｔｒｕｃｔｕｒｅｄ  ｆｏｒ  ｐｕｍｐ−ａｓｓｉｓｔｅｄ  ｄｅｌｉｖｅｒｙ  ｏｆ  ｍｅｄｉｃａｌ  ａｇｅｎｔｓ」という名称のＦｒｅｄｅｒｉｃｋ  Ｅ．Ｓｈｅｌｔｏｎ，ＩＶらによる、米国特許出願公開第２００７／０１０２４５２号は、切断された組織の固定に接着剤を用いる内視鏡的切断器具を記載しているが、これらもその全体が引用により本願に組み込まれる。したがって、一般的に本明細書の記載は切断／ステープリング手術操作などに言及しているが、これは例示的実施形態であって本発明を制限するものではないことを理解されたい。他の組織固定技術も用い得る。
【００２０】
適切なエンドエフェクタ、閉鎖トリガーの係止機構、及びエンドエフェクタの機械的閉鎖システムについてのより詳細は「Ｍｏｔｏｒ−ｄｒｉｖｅｎ  ｓｕｒｇｉｃａｌ  ｃｕｔｔｉｎｇ  ａｎｄ  ｆａｓｔｅｎｉｎｇ  ｉｎｓｔｒｕｍｅｎｔ  ｗｉｔｈ  ｕｓｅｒ  ｆｅｅｄｂａｃｋ  ｓｙｓｔｅｍ」という名称のＳｈｅｌｔｏｎらによる米国特許出願公開第２００７／０１７５９５８  Ａ１号に見出すことができるが、この全体は引用により本願に組み込まれる。
【００２１】
器具１０はエンドエフェクタ１２に動力を供給するための電動モーターを更に含み得る。上記段落で引用した米国特許出願公開第２００７／０１７５９５８  Ａ１号はエンドエフェクタに動力を供給するための電動モーターを有するエンドカッターを開示している。かかる実施形態においては、ハンドル内のバッテリーにより駆動され得るモーターは駆動領域を通じてエンドエフェクタの関連する切断及び固定操作に動力を供給する。
【００２２】
器具１０は器具１０に関するさまざまな状態を検知する多くのセンサーも含み得る。例えば、上述の米国特許出願公開第２００７／０１７５９５８  Ａ１号に記載されるように、器具１０はエンドエフェクタ中の切断器具による切断ストロークの終了を検知するためのストローク終了センサー及び切断器具による切断ストロークの開始を検知するためのストローク開始センサーを含み得る。これらのセンサーからの信号は、例えばモーターを制御するために使われることができる。
【００２３】
図４を参照するが、器具１０は閉鎖トリガー１８の後退を検知するための閉鎖トリガーセンサー５０、アンビル２４の閉鎖を検知するためのアンビル閉鎖センサー５２、アンビル２４の閉鎖に起因してステープル・カートリッジ２２によってセンサー５４に発揮される力を検知するためのアンビル閉鎖負荷センサー５４（これはステープル・カートリッジ２２の内部底面に配置されることができる）、発射トリガー２０の後退を検知するための発射トリガーセンサー５６、メス（即ち、切断器具）のエンドエフェクタ１２中の溝２２に沿った長手方向の位置を検知するためのメス位置センサー５８、エンドエフェクタ１２中にステープル・カートリッジ３４が存在するか否かを検知するためのカートリッジ存在センサー６０、及びステープル・カートリッジ３４の状態（例えば、カートリッジが使い切られたか否か）を検知するためのカートリッジ状態センサー６２を更に含むことができる。
【００２４】
センサー５０〜６２は、好適には器具のハンドル６内に配置された制御装置６４と通信することができる。この制御装置６４は、プロセッサ７０、読み出し専用記憶装置７２、及び読み書き記憶装置７４を含んでよい。この制御装置６４は、更にセンサー５０〜６２との通信のためのアナログ・デジタル変換器（ＡＤＣ）及びデジタル・アナログ変換器（ＤＡＣ）（図示されず）を含むことができる。読み出し専用記憶装置７２はＥＰＲＯＭ及び／又はフラッシュＥＥＰＲＯＭ記憶装置を含み得る。読み書き記憶装置７４はランダム・アクセス・メモリ（ＲＡＭ）ユニットなどの揮発性記憶装置を含み得る。制御装置６４のさまざまな構成要素は個別のものであるか又はそれらは１つ若しくはいくつかの構成要素に統合されていてよい。例えば、一実施形態では、プロセッサ７０、ＲＯＭ  ７２、ＲＡＭ  ７４、ＤＡＣ及びＡＤＣはマイクロ制御器又はマイクロプロセッサ（computer-on-a-chip）の一部分であることができる。
【００２５】
制御装置６４は、バッテリーなどの電源７６により動力を供給され得る。制御装置６４に動力を供給する電源７６は、エンドエフェクタに動力を供給するためのＤＣモーターを有する器具１０のモーターに動力を供給する同じ電源であってもよいか、又は制御装置６４とモーターでは異なる電源が使用されてもよい。
【００２６】
さまざまなセンサーからの出力はデジタル形式で片方又は両方の記憶装置７２、７４に保存される。その全体が引用により本願に組み込まれる、米国特許出願公開第２００７／０１７５９６４  Ａ１号は、センサーのデータを記憶して記録するための記憶装置を備えたエンドカッターを開示している。上述のいくつかのセンサーからの出力はアナログ形式であり得る。かかる種類のセンサーのために、記憶装置７２、７４での記憶のためにＡＤＣがアナログ形式のセンサー信号をデジタル形式へ変換するために用いられ得る。更にこのセンサーは、有線及び／又は無線通信リンクを介して制御装置６４に連結され得る。センサーが無線により制御装置６４と通信する実施形態では、センサーは制御装置６４のトランシーバー（図示されていない）と通信するトランスポンダーを含み得る。
【００２７】
さまざまな実施形態に従い、器具１０は電動の関節運動旋回軸を含み得る。図５はかかる実施形態に従う関節運動旋回軸ジョイントアセンブリ２４００を開示している。図５に見られるように遠位管セグメント２４１０は近位端２４１４及び遠位軸Ｈ”−Ｈ”を有する。図５には示されていないが遠位管セグメント２４１０はエンドエフェクタ１２に機械的に連結された遠位端を有する。使用されるアンビル閉鎖配置に依存して、この遠位端は固定的に、可撓性部材により、又は旋回可能な部材によりエンドエフェクタ本体に取り付けられる。この遠位管セグメント２４１０は部分的に中空であり、近位端２４１４はその中を貫通するホース／ワイヤー受容通路を持った固体であることができる。この通路２４１６は円錐形部分２４１７を有し得る。ジョイントアセンブリ２４００は更に遠位端２４５４と近位軸Ｉ”−Ｉ”を持つ近位管セグメント２４５０を含み得る。図５には示されていないが、この近位管セグメント２４５０はハンドルアセンブリ６に取り付けられた近位端を有する。
【００２８】
一実施形態では、この遠位管セグメント２４１０はボールジョイントアセンブリ２４６０により枢動可能に近位管セグメント２４５０と連結される。一実施形態では、このボールジョイントアセンブリ２４６０は近位管セグメント２４５０の遠位端２４５４に取り付けられるか又はその上に形成されるボール部材２４６２を含む。ボール部材２４６２は、ボール部材２４６２の位置に関わらずその中を通過するホース４８０及び／又はワイヤーが挟まれたり損傷されないために、通路部分２４１６、２４１７と連通することを可能にする、広がっているか、さもなければ拡大された端部分２４６５を有する中空の通路２４６４を有する。ボール部材２４６２は、ボール部材２４６２がその中で自由に回転できるように、遠位管セグメント２４１０の近位端２４１４に備えられたソケット２４５８により受け容れられる。
【００２９】
一実施形態では、遠位管セグメント２４１０を近位管セグメント２４５０に対して関節運動させるために、一般的に２５００で指定される駆動アセンブリが用いられる。図５に見られるように１つの非限定的な実施形態では２つの可撓性ウオームギアケーブル２５１０、２５２０が用いられる。第１のウオームギアケーブル２５１０は、第１ギア通路内でボール部材２４６２内に形成されたウオームギア歯、スレッドなど（図示されていない）と駆動的に係合して適合される。第１のウオームギアケーブル２５１０は、遠位管セグメント２４１０内に取り付けられた第１のモーター２５１２と連結される。同様に、この非限定的実施形態では、第２のウオームギアケーブル２５２０はボール部材２４６２内に形成された第２ギア通路内でそこに形成されたギア歯、スレッド２４６９などと駆動的に係合して適合される。第２のウオームギアケーブル２５２０は、遠位管セグメント２４１０内に取り付けられた第２のモーター２５２２と連結される。「可撓性ウオームギアケーブル」として本明細書に記載されるが、この用語はウオームギア型の歯の使用を必要としない全ての種類の柔軟に駆動されるケーブル又は伝達機構配置を包含することが意図されていることを理解されたい。
【００３０】
第１及び第２のモーター２５１２、２５２２はバッテリー（局部電池又はハンドル６内のバッテリーパック）か、若しくは代替的な電流により電気的に動力を供給されるか、又は油圧油若しくは空気により動力を供給されてよい。一実施形態では、モーター２５１２、２５２２は電気的に動力を供給され、ハンドルアセンブリ６上の１つ以上のスイッチ又はボタンにより操作される。第１及び第２のウオームギアケーブル２５１０、２５２０の回転量並びに回転方向を制御することにより、ボール部材２４６２のソケット２４５８内での回転が引き起こされ、これにより遠位管セグメント２４１０（及びそこに取り付けられたエンドエフェクタ１２）の近位管セグメント２４５０に対する関節運動が起こされる。かかる配列が図５に示されるような左方関節運動及び右方関節運動（図示されていない）を促進することを読者は理解するであろう。２つのウオームギアケーブル／モーター配列が上記で述べられているが、本発明の他の実施形態では、１段階の関節運動が必要であるか又は所望される場合には、ただ１つのウオームギアケーブル配列を用い得ることを読者は再び理解するであろう。更に、ボール部材２４６２が遠位管セグメント２４１０内に備えられたソケット２４５８とともに近位管セグメント２４５０に固定的に取り付けられたとして記述してきたが、他の非制限的実施形態においては、本発明の趣旨と範囲を逸脱することなくボール部材２４６２は遠位管部分２４１０及び近位管セグメント２４５０内に備えられたソケット２４５８に固定的に取り付けられ得ることを当業者は理解するであろう。
【００３１】
ジョイントアセンブリ２４００は関節運動旋回軸１４の関節運動を検知する１つ以上のセンサー６６（図４を参照）を含み得る。センサー６６からの出力は制御装置６４の記憶装置７２、７４の片方又は両方に記録される。例えば、センサー６６は光学的若しくは磁気的回転センサー（例えば、ホール効果センサー）及び／又は集合的にエンドエフェクタ１２関節運動を直接的若しくは間接的に検知する加速度計を含み得る。例えばセンサー６６はエンドエフェクタの関節運動／回転を直接的に検知できる。別の実施形態では、センサー６６はそれによりエンドエフェクタ１２の関節運動を間接的に検知するためにウオームギアケーブル２５１０、２５２０の回転及び方向を検知できる。制御装置６４は、関節運動センサー６６からの情報を記憶し記録することができ、以下で更に述べるように、それにより器具１０のユーザーが次回の使用において正確な又は大体の関節運動を再現することを促進できる。センサー６６は、有線及び／又は無線通信リンクを介して制御装置６４と通信できる。更に、センサー６６からの出力は制御装置６４のＡＤＣによりデジタル形式に変換されるアナログ信号であってよい。
【００３２】
Ｓｈｅｌｔｏｎらによる「Ｈｙｄｒａｕｌｉｃａｌｌｙ  ａｎｄ  ｅｌｅｃｔｒｉｃａｌｌｙ  ａｃｔｕａｔｅｄ  ａｒｔｉｃｕｌａｔｉｏｎ  ｊｏｉｎｔｓ  ｆｏｒ  ｓｕｒｇｉｃａｌ  ｉｎｓｔｒｕｍｅｎｔｓ」という名称の米国特許出願公開第２００７／０１０６３１７  Ａ１号はモーターによる関節運動旋回軸についてより詳細に記載している。この出願はモーターによる関節運動旋回軸の他の実施形態を更に提供している。この出願は油圧により動力が提供される関節運動旋回軸についても記載している。油圧関節運動旋回軸を有する器具については、関節運動センサー６６はエンドエフェクタ１２の関節運動を直接的又は間接的に検知するための加速度計若しくは他の適切なセンサーを含み得る。
【００３３】
選択装置９０（図１〜２を参照）は、さまざまな実施形態により複数状態又は単一状態の装置であり得る。複数状態装置では、器具のユーザーは最後に器具１０が駆動されたときの過去の関節運動状態（例えば、直前の関節運動状態）を引き起こすためにスイッチを作動できる。次にユーザーはエンドエフェクタ１２を標準状態の関節運動をしていない状態に戻すためにスイッチを作動できる。臨床医がエンドエフェクタを所望の状態に位置決めしたときに、ユーザーは制御装置６４中での関節運動データの記録のために装置９０を作動することもできる。別の実施形態では、器具１０が駆動及び／又はクランプするたびに毎回自動的に関節運動センサーのデータが記録され得る。この方式では、臨床医は装置９０を押すなど器具を駆動すること以外には、関節運動センサー６６からのデータを制御装置の記憶装置７２、７４に記録させるための積極的行動をする必要はない。
【００３４】
複数の単一状態入力装置９０、９２を有する実施形態については、ユーザーはエンドエフェクタを自動的に以前の状態に関節運動させるために１つの入力装置９０を用いることができ、及びエンドエフェクタ１２を関節運動をしていない標準状態に戻すために第２の入力装置９２を用いることができる。入力装置９０、９２は制御装置６４と通信することができる。ユーザーが関節運動データを制御装置６４に保存するための第３の入力装置（図示されていない）があってもよい。代替的に、関節運動センサーのデータは器具１０が駆動され及び／又はクランプするたびに毎回自動的に記録されてもよい。
【００３５】
選択装置９０がユーザーによって作動されたときにエンドエフェクタを自動的に関節運動させるために、制御装置６４は関節運動旋回軸１４のジョイントアセンブリ２４００内のモーター２５１２、２５２２（又は油圧作動装置を持つジョイントアセンブリでは油圧作動装置）に信号を伝達できる。モーター２５１２、２５２２に送られた信号は、関節運動センサー６６により受け取られたセンサーのデータに基づいて片方又は両方の記憶装置７２、７４に保存されたエンドエフェクタの関節運動の以前の状態（例えば、エンドエフェクタ１２のシャフトに対する回転と方向）に基づくことができる。この方式では、器具１０のユーザーは選択装置９０を作動することにより、前回の使用時におけるものと同一のエンドエフェクタ１２の関節運動状態（例えば、器具１０が最後に駆動されたときの関節運動状態）への自動的な関節運動を引き起こすことができる。患者の同一の一般的部位において臨床医が反復される切断／固定ストロークを行う手術において、このことは有益であり得る。エンドエフェクタ１２を毎回同じ部位に関節運動させるかわりに、臨床医は選択装置９０により自動的にエンドエフェクタ１２を前回の位置まで関節運動させることができる。
【００３６】
以下に器具１０の可能な使用方法の１例を記載する。この実施例では、複数状態のユーザー入力選択装置９０が想定されているが、この実施例が容易に２つ以上の入力装置を有する実施例へ拡張され得ることが認識される。この実施例では臨床医はエンドエフェクタ１２をカニューレを通して挿入できる。次いで、臨床医は手動関節運動制御装置１６を用いて、エンドエフェクタ１２を所望の位置、即ち臨床医が切断器具１０による同時の切断と固定を遂行しようと望む位置へと関節運動させ得る。臨床医がエンドエフェクタ１２を所望の位置まで関節運動させた後、臨床医は閉鎖トリガーを係止位置まで後退させエンドエフェクタ１２の対向するジョー２２、２４の間に組織を固定できる。次いで臨床医は発射トリガー２０を後退させることにより、切断器具３２が（１）エンドエフェクタ１２の溝２２を縦方向に縦走し、それによりエンドエフェクタ１２によりクランプされた組織の切断を引き起こし、及び（２）ステープル・カートリッジ３４内のステープルがクランプされた組織を貫通して付勢されアンビル２４により曲げられることによりクランプされた組織の切断器具３２により切断された各側部のステープル留めを引き起こし得る。駆動の前若しくは後に、又はクランピングの前若しくは後に、ユーザーは入力装置９０（又はいくつかの他の装置）を作動して、エンドエフェクタ１２のシャフト８に対する関節運動状態を示す関節運動センサー６６からの関節運動データを制御装置６４に記録できる別の実施形態では、関節運動データは器具が駆動されるか、又はエンドエフェクタがクランプする毎に記録される。
【００３７】
次いで、臨床医はカニューレを通して装置を引き出すために、ユーザー選択入力装置９０を押すことにより（単一入力の２状態装置の実施形態又はユーザー入力装置９２が２入力の装置である実施形態について）、エンドエフェクタ１２の関節運動を自動的に標準状態である関節運動のない（例えば、まっすぐな）状態に戻すことができる。次いで、臨床医は使い切られたステープル・カートリッジ３４を新品（すなわち、ステープルのあるもの）で置き換えエンドエフェクタ１２をカニューレを通して患者の体内に戻すことができる。次いで、ユーザー入力選択装置９０を押すか、さもなければ作動することにより、制御装置６４に保存されている最後の駆動時の関節運動センサー出力に基づき、臨床医は器具１０が最後に駆動されたときと同一の関節運動位置までのエンドエフェクタ１２の自動的な関節運動移動を引き起こすことができる。この方式では、臨床医エンドエフェクタ１２を最後に作動されたときと同一の一般的位置まで自動的に関節運動で戻すことができ、エンドエフェクタ１２を手動で関節運動させる必要はない。前回と同じ一般的位置に再び位置決めすることが重要である場合に、このことはエンドエフェクタ１２のより大きな正確性と反復性による再配置をもたらす傾向があるはずである。
【００３８】
器具１０の第２の駆動の後に、臨床医はエンドエフェクタ１２の関節運動を自動的に標準状態である関節運動のない状態に戻し、カニューレを通じて器具を引き抜くことができ、及び必要に応じて再度ステープル・カートリッジを交換し、エンドエフェクタを次の駆動のために再挿入して前回の駆動時の関節運動状態まで自動的に関節運動させることができる。ユーザーがユーザー入力装置を作動して関節運動データを記録させる器具の場合、続く駆動の時に第１回目の駆動の時の一般的位置までエンドエフェクタ１２が自動的に関節運動により移動できるようにするために、ユーザーはただ第１回目の駆動の時の関節運動状態のみを記録することができる。代替的に、ユーザーは直前の一般的位置までエンドエフェクタが自動的に関節運動により移動できるようにするために、それぞれの駆動時の関節運動状態を記録することができる。
【００３９】
本明細書において開示される器具は単回操作（複数回の駆動を含み得る）の後に廃棄できるように設計されているか、又は複数回の操作において使用可能なように設計されている。しかしながら、いずれにしても、この器具は、少なくとも１回使用した後に再利用のため再調整されることができる。再調整は、装置の分解の後、特定の部分のクリーニング又は交換、及びその後の再組立の工程の、任意の組み合わせであり得る。特に、装置は分解することができ、任意の数の特定の部分又は装置部品を、任意の組み合わせで選択的に交換又は除去することができる。特定の部品をクリーニング及び／又は交換した後、再調整設備で、又は外科手術手順の直前に外科手術チームによって、その後の使用のために再組立することができる。装置の再調整に、分解、クリーニング／交換、及び再組立のためにさまざまな技法を利用できることは、当業者に理解されるであろう。そのような技法の使用、及び結果として得られる再調整された装置は、すべて、本発明出願の範囲内である。
【００４０】
好適には、本明細書に記載された発明のさまざまな実施形態は、手術の前に処理される。第１に、新品又は使用済みの器具を入手して、必要ならばクリーニングを行う。器具は次に滅菌処理され得る。１つの滅菌技術では、器具はプラスチックバッグ又はＴＹＶＥＫバッグなど、閉じられ密閉された容器の中に置かれる。この容器及び器具に、容器を透過し得る放射線（例えばγ線、Ｘ線、又は高エネルギー電子線）を照射する。放射線が、器具表面及び容器内の細菌を殺す。滅菌済みの器具は、滅菌容器内で保管することができる。密閉容器は、医療機関で開封されるまで、器具を無菌状態に保つ。
【００４１】
装置を滅菌することが好ましい。このことは任意の回数の当業者に周知の、β線、γ線照射、エチレンオキシド、蒸気及び他の方法などの任意の方法により行うことができる。
【００４２】
いくつかの実施形態の記載により本発明が説明され、説明的実施形態がかなり詳細に記載されているが、出願人には添付された請求範囲をかかる詳細によっていかなる方法によっても制限する意図はない。当業者にとり追加的な利点及び修正は容易に自明であり得る。本発明のさまざまな実施形態は、異なる形成された（最終）高さを有するステープル留めを達成するために単一のカートリッジ内での異なる寸法のステープルの使用を必要とする従来のステープル方法に対する巨大な改善を表している。
【００４３】
したがって、本発明は内視鏡的手術及び装置との関連において議論される。しかしながら、本明細書において使用される「内視鏡的」などの用語は、本発明を手術用ステープリング及び内視鏡的チューブ（すなわち、カニューレ又はトロカール）のみとともに用いられる器具に限定すると解釈されるべきではない。それどころか、本発明は、限定はされないが開放的手術とともに腹腔鏡的手術などの、アクセスが制限される任意の手術においてその用途を見出すと信じられる。更に、本発明のさまざまなステープル・カートリッジの実施形態の独自かつ新規な態様の有用性は、本発明の趣旨と範囲を逸脱することなく他の形態のステープリング器具とともに用いられたときに見出されることができる。
【００４４】
〔実施の態様〕
（１）  手術用器具であって、
エンドエフェクタと、
シャフトと、
前記エンドエフェクタと前記シャフトとの間に結合され、前記シャフトに対して前記エンドエフェクタを関節運動させるための関節運動可能なジョイントアセンブリであって、
前記自動関節運動可能なジョイントアセンブリの関節運動を検知するための少なくとも１つの関節運動センサー、及び、
前記シャフトに対して前記エンドエフェクタを自動的に関節運動させるための少なくとも１つのモーター、
を含む、自動関節運動可能なジョイントアセンブリと、
前記少なくとも１つの関節運動センサーと通信する制御装置であって、前記少なくとも１つの関節運動センサーからの関節運動データを保存するための少なくとも１つの記憶装置を含み、前記関節運動可能なジョイントアセンブリの前記少なくとも１つのモーターと通信する、制御装置と、
を含む、手術用器具。
（２）  前記制御装置が、前記少なくとも１つの記憶装置に保存された前記関節運動データに基づく位置まで前記エンドエフェクタを関節運動させることを前記モーターが引き起こすように、前記関節運動可能なジョイントアセンブリ内の前記少なくとも１つのモーターを制御するためのものである、実施態様１に記載の手術用器具。
（３）  前記少なくとも１つのモーターが電気モーターを含む、実施態様２に記載の手術用器具。
（４）  前記少なくとも１つのモーターが油圧モーターを含む、実施態様２に記載の手術用器具。
（５）  前記シャフトに接続されたハンドルを更に含み、前記制御装置が前記ハンドル内にある、実施態様２に記載の手術用器具。
（６）  前記エンドエフェクタが、
第１のジョー部材、及び、
前記第１のジョー部材に旋回可能に接続されている、第２のジョー部材、
を含む、実施態様２に記載の手術用器具。
（７）  前記制御装置が前記少なくとも１つの記憶装置と通信するプロセッサを含む、実施態様６に記載の手術用器具。
（８）  前記制御装置と通信する、少なくとも１つのユーザー入力装置を更に含み、前記少なくとも１つのユーザー入力装置は、最初に作動されるときに、前記制御装置に前記関節運動可能なジョイントアセンブリの前記モーターを制御させて、前記制御装置の前記少なくとも１つの記憶装置に保存される関節運動データに基づいた関節運動状態に前記関節運動可能なジョイントアセンブリを関節運動させる、実施態様７に記載の手術用器具。
（９）  前記少なくとも１つのユーザー入力装置が前記ハンドル上に配置される、実施態様８に記載の手術用器具。
（１０）  前記ユーザー入力装置が２回目に作動されるときに、前記関節運動可能なジョイントアセンブリの前記モーターが前記関節運動可能なジョイントアセンブリを関節運動のない状態に関節運動させることを前記制御装置が引き起こす、実施態様８に記載の手術用器具。
【００４５】
（１１）  前記関節運動状態が、事前の時間における前記エンドエフェクタの関節運動に基づく、実施態様８に記載の手術用器具。
（１２）  前記事前の時間が、前記器具が以前に駆動されたときを含む、実施態様１１に記載の手術用器具。
（１３）  手術用の切断及び固定器具であって、
エンドエフェクタであって、
前記エンドエフェクタ内に位置決めされた対象を切断するための可動切断器具、
前記切断器具を運搬するための細長い溝を含む第１のジョー部材、及び、
前記第１のジョー部材に旋回可能に接続され、前記第１のジョー部材に対向する第２のジョー部材、
を含む、エンドエフェクタと、
シャフトと、
前記エンドエフェクタと前記シャフトとの間に結合され、前記シャフトに対して前記エンドエフェクタを関節運動させるための、関節運動可能なジョイントアセンブリであって、
前記自動関節運動可能なジョイントアセンブリの関節運動を検知するための少なくとも１つの関節運動センサー、及び、
前記シャフトに対して前記エンドエフェクタを自動的に関節運動させるための少なくとも１つのモーター、
を含む、自動関節運動可能なジョイントアセンブリと、
前記シャフトに接続されたハンドルであって、
前記少なくとも１つの関節運動センサーと通信する制御装置であって、前記少なくとも１つの関節運動センサーからの関節運動データを保存するための少なくとも１つの記憶装置を含み、前記関節運動可能なジョイントアセンブリの前記少なくとも１つのモーターと通信して、前記モーターが前記エンドエフェクタを前記少なくとも１つの記憶装置に保存された前記関節運動データに基づいた位置まで関節運動させるように前記少なくとも１つのモーターを制御する、制御装置、及び、
前記制御装置と通信する少なくとも１つのユーザー入力装置であって、最初に作動されるときに、前記制御装置に前記関節運動可能なジョイントアセンブリの前記モーターを制御させて、前記制御装置の前記少なくとも１つの記憶装置に保存された関節運動データに基づく関節運動状態へと前記関節運動可能なジョイントアセンブリを関節運動させる、ユーザー入力装置、
を含む、ハンドルと、
を含む、手術用の切断及び縫合器具。
（１４）  前記ユーザー入力装置が２回目に作動されるときに、前記関節運動可能なジョイントアセンブリの前記モーターが前記関節運動可能なジョイントアセンブリを関節運動のない状態へ関節運動させることを前記制御装置が引き起こす、実施態様１３に記載の手術用器具。
（１５）  前記関節運動状態が、事前の時間における前記エンドエフェクタの関節運動に基づく、実施態様１３に記載の手術用器具。
（１６）  前記事前の時間が、前記器具が以前に駆動されたときを含む、実施態様１３に記載の手術用器具。
（１７）  患者に医療処置を行う方法であって、
（ａ）手術用切断及び固定用器具の関節運動可能なエンドエフェクタを、カニューレを通して前記患者に挿入することであって、前記エンドエフェクタを、前記カニューレを通して挿入するときに、前記エンドエフェクタは第１の関節運動状態にある、挿入することと、
（ｂ）手順（ａ）の後、前記エンドエフェクタが前記第１の関節運動状態とは異なる第２の関節運動状態へと自動的に関節運動するように前記手術用切断及び固定用器具上の入力装置を作動させることと、
（ｃ）手順（ｂ）の後、前記エンドエフェクタにおいてクランプされた組織を切断及び固定するために前記手術用切断及び固定用器具を駆動することと、
（ｄ）手順（ｃ）の後、前記エンドエフェクタが前記第１の関節運動状態へと自動的に関節運動するように前記入力装置を作動させることと、
（ｅ）手順（ｄ）の後、前記エンドエフェクタを、前記カニューレを通して前記患者から引き抜くことと、
を含む、方法。
（１８）  （ｆ）手順（ｅ）の後、前記エンドエフェクタのステープル・カートリッジを交換することと、
（ｇ）手順（ａ）〜（ｅ）を繰り返すことと、
を更に含む、実施態様１７に記載の方法。
（１９）  手順（ａ）に先立ち、
（ｈ）前記関節運動可能なエンドエフェクタを、前記カニューレを通して前記患者に挿入することであって、前記エンドエフェクタを、前記カニューレを通して挿入するときに、前記エンドエフェクタは前記第１の関節運動状態にある、挿入することと、
（ｉ）手順（ｈ）の後、前記エンドエフェクタを前記第２の関節運動状態まで手動で関節運動させることと、
（ｊ）手順（ｉ）の後、前記エンドエフェクタにおいてクランプされた組織を切断及び固定するように前記手術用切断及び固定用器具を駆動することと、
（ｋ）手順（ｊ）の後、前記エンドエフェクタが前記第１の関節運動状態へと自動的に関節運動するように前記入力装置を作動させることと、
（ｌ）手順（ｋ）の後、前記エンドエフェクタを、前記カニューレを通して前記患者から引き抜くことと、
を更に含む、実施態様１７に記載の方法。
（２０）  （ｍ）手順（ｅ）の後、前記エンドエフェクタのステープル・カートリッジを交換することと、
（ｎ）手順（ａ）〜（ｅ）を繰り返すことと、
を更に含む、実施態様１９に記載の方法。
【図１】
0005512659.tif 000002
【図２】
0005512659.tif 000003
【図３】
0005512659.tif 000004
【図４】
0005512659.tif 000005
【図５】
0005512659.tif 000006